【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置であって、
サービスを提供するジョブの履歴を参照先アドレスと共に保持する保持手段と、
ジョブのステータスに変更があった場合に、当該ステータスを判定する判定手段と、
前記判定手段が判定したステータスに応じて、前記保持手段に保持された履歴に含める異なる参照先アドレスを決定する決定手段と、
前記保持手段に保持された履歴から、前記参照先アドレスを含む更新情報を配信するためのファイルを作成する作成手段と、
前記作成手段により作成されたファイルを前記Ｗｅｂブラウザに送信する送信手段と
を有することを特徴とする情報処理装置。
【請求項２】
前記決定手段は、前記判定手段が判定したステータスがサービスを提供するサービス提供デバイスの動作中である場合に、前記参照先アドレスを前記サービス提供デバイスへのジョブの情報を参照可能な第１アドレスとし、前記判定手段が判定したステータスがサービスの提供の完了である場合に、前記参照先アドレスを前記保持手段に保持された履歴を参照可能な第２アドレスとすることを特徴とする請求項１に記載の情報処理装置。
【請求項３】
前記システムは、前記サービスが画像形成装置による印刷である印刷システムであって、
前記第１アドレスは、印刷ジョブの情報を参照可能なＵＲＬであり、前記第２アドレスは、前記履歴の情報を参照可能なＵＲＬであることを特徴とする請求項２に記載の情報処理装置。
【請求項４】
前記決定手段は、前記判定手段が判定したステータスがエラーであった場合に、ジョブがサービスを提供するサービス提供デバイスに到達したか否かを判定する手段を含み、
ジョブが前記サービス提供デバイスに到達している場合には、前記参照先アドレスを当該サービス提供デバイスを参照可能な第３アドレスとし、
ジョブが前記サービス提供デバイスに到達していない場合には、前記参照先アドレスを前記サービス提供サーバに保持されたサービス提供デバイスに対し送信される前のジョブを参照可能な第４アドレスとすることを特徴とする請求項１または２に記載の情報処理装置。
【請求項５】
前記システムは、前記サービスが画像形成装置による印刷である印刷システムであって、
前記第３アドレスは、前記画像形成装置の情報を直接に参照可能なＵＲＬであり、前記第４アドレスは、印刷されるデータを前記サービス提供サーバに保存したジョブの情報を参照可能なＵＲＬであることを特徴とする請求項４に記載の情報処理装置。
【請求項６】
前記作成手段は、前記判定手段が判定したステータスがサービスを提供するサービス提供デバイスの動作中であるか否かを判定する手段を含み、
前記判定の結果、前記判定手段が判定したステータスがサービスを提供するサービス提供デバイスの動作中である場合には、前記更新情報を配信するためのファイルに含める履歴をステータスが動作中、完了、エラーの履歴とし、
前記判定の結果、前記判定手段が判定したステータスがサービスを提供するサービス提供デバイスの動作中でない場合には、前記更新情報を配信するためのファイルに含める履歴をステータスが完了、エラーの履歴とすることを特徴とする請求項１乃至３のいずれか１項に記載の情報処理装置。
【請求項７】
Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置の制御方法であって、
保持手段が、サービスを提供するジョブの履歴を参照先アドレスと共に保持する保持工程と、
判定手段が、ジョブのステータスに変更があった場合に、当該ステータスを判定する判定工程と、
決定手段が、前記判定工程で判定したステータスに応じて、前記保持工程で保持された履歴に含める異なる参照先アドレスを決定する決定工程と、
作成手段が、前記保持工程で保持された履歴から、前記参照先アドレスを含む更新情報を配信するためのファイルを作成する作成工程と、
送信手段が、前記作成工程で作成されたファイルを前記Ｗｅｂブラウザに送信する送信工程と
を有することを特徴とする情報処理装置の制御方法。
【請求項８】
請求項７に記載の情報処理装置の制御方法の各工程をコンピュータに実行させるためのプログラム。
【請求項９】
請求項８に記載のプログラムを記憶したコンピュータが読み取り可能な記憶媒体。
【請求項１０】
Ｗｅｂサーバが動作してサービスの提供を制御するサービス提供サーバとＷｅｂブラウザが動作して該サービスが提供されるクライアント装置とがネットワークを介して接続されたＷｅｂ環境で動作するシステムであって、
前記サービス提供サーバが、
サービスを提供するジョブの履歴を参照先アドレスと共に保持する保持手段と、
ジョブのステータスに変更があった場合に、当該ステータスを判定する判定手段と、
前記判定手段が判定したステータスに応じて、前記保持手段に保持された履歴に含める異なる参照先アドレスを決定する決定手段と、
前記保持手段に保持された履歴から、前記参照先アドレスを含む更新情報を配信するためのファイルを作成する作成手段と、
前記作成手段により作成されたファイルを前記Ｗｅｂブラウザに送信する送信手段と
を有することを特徴とするシステム。
【請求項１１】
Ｗｅｂサーバが動作してサービスの提供を制御するサービス提供サーバとＷｅｂブラウザが動作して該サービスが提供されるクライアント装置とがネットワークを介して接続されたＷｅｂ環境で動作するシステムの制御方法であって、
保持手段が、サービスを提供するジョブの履歴を参照先アドレスと共に保持する保持工程と、
判定手段が、ジョブのステータスに変更があった場合に、当該ステータスを判定する判定工程と、
決定手段が、前記判定工程で判定したステータスに応じて、前記保持工程で保持された履歴に含める異なる参照先アドレスを決定する決定工程と、
作成手段が、前記保持工程で保持された履歴から、前記参照先アドレスを含む更新情報を配信するためのファイルを作成する作成工程と、
送信手段が、前記作成工程で作成されたファイルを前記Ｗｅｂブラウザに送信する送信工程と
を有することを特徴とするシステムの制御方法。
【手続補正２】
【補正対象書類名】明細書
【補正対象項目名】０００８
【補正方法】変更
【補正の内容】
【０００８】
かかる課題を解決するために、本発明の情報処理装置は、Ｗｅｂサーバが動作してサービスの提供を制御する情報処理装置とＷｅｂブラウザが動作して該サービスが提供されるクライアント装置とがネットワークを介して接続されたＷｅｂ環境で動作するシステムにおける前記情報処理装置であって、サービスを提供するジョブの履歴を参照先アドレスと共に保持する保持手段と、ジョブのステータスに変更があった場合に、当該ステータスを判定する判定手段と、前記判定手段が判定したステータスに応じて、前記保持手段に保持された履歴に含める異なる参照先アドレスを決定する決定手段と、前記保持手段に保持された履歴から、前記参照先アドレスを含む更新情報を配信するためのファイルを作成する作成手段と、前記作成手段により作成されたファイルを前記Ｗｅｂブラウザに送信する送信手段とを有することを特徴とする。